(57)【特許請求の範囲】
【請求項１】
コンテナハウスの屋根上に固定具を配し、該固定具に固定したシャフトに遮熱シートを固定、張設するようにした遮熱シートの取付構造であって、
上記固定具は、上記シャフトを固定するシャフト固定部と、上記コンテナハウスの屋根に固定される土台部とを備えた構造とされ、
上記シャフト固定部は、所定間隔離間して起立した２枚の起立片と、これらの起立片を側部で連結し、ボルト孔を有した連結部と、上記土台部に取付固定するための取付片とを備えた本体部、および、上記シャフトを上記本体部に固定するためのＵ字ボルト、ナットを備えており、上記起立片のそれぞれには、底部を有した切欠き嵌入凹所が形成され、該切欠き嵌入凹所に上記シャフトが嵌め入れられ、上記Ｕ字ボルトのねじ部を上記ボルト孔に通して上記ナットと螺合して上記シャフトを固定する構成となっており、
嵌入開口を有した半筒状のシャフト嵌合体をさらに用いる取付構造とされ、
上記固定具の土台部が上記コンテナハウスの屋根に固着され、その上に水切りカバーが配設されるとともに、上記シャフト固定部に固定されたシャフトが、上記遮熱シートの側端部に形成したシャフト挿通筒部に挿通され、上記遮熱シートを挟み込むように上記シャフトの胴部に上記シャフト嵌合体が嵌合する構造となっていることを特徴とする遮熱シートの取付構造。
【発明の詳細な説明】
【技術分野】
【０００１】
本発明は、コンテナハウスの屋根上に固定、張設される遮熱シートの取付構造に関する。
【背景技術】
【０００２】
この種のコンテナハウスは、作業現場の現場事務所やトランクルーム等に使用されるように、主に屋外に移動可能に設置される。また、その輸送はトレーラーによってなされる。
【０００３】
したがって、コンテナハウスは風雨に晒されやすく、振動も受けやすいため、耐震、耐風雨構造等、頑丈で風雨に強い構造に形成されている。
【０００４】
一方、移動を頻繁に行うという性質上、軽量かつシンプルですっきりとした形状、構造とすることが求められており、そのため一般住宅等で用いられる断熱材が使用されることはなく、そのままでは遮熱性はほとんどないものが通例である。
【０００５】
コンテナハウスの遮熱対策としては、種々の建築物の波形屋根（折板屋根）用に使用される遮熱シートをコンテナハウスの屋根上に後付けすることが想定できるが、この種の遮熱シートは、波形屋根用の固定具を介して波形屋根へ取り付けるようになっているため、その取付構造をそのままコンテナハウスの屋根に適用することはできない。
【０００６】
すなわち、この固定具は、波形屋根の屋根材の端部を連結した連結山部において屋根材連結のために上方に突出したボルト体またはハゼ部に対して取り付けられるようになっているため（特許文献１参照）、そのようなボルト体やハゼ部が突出していないコンテナハウスへ、波形屋根用に使用していた遮熱シートを適用することは容易ではない。
【先行技術文献】
【特許文献】
【０００７】
【特許文献１】特開２０１０−１１２００７号公報
【発明の概要】
【発明が解決しようとする課題】
【０００８】
本発明は、このような事情を考慮して提案されたもので、その目的は、遮熱シートをコンテナハウスの屋根に簡単、確実に取り付けることのできる遮熱シートの取付構造を提供することにある。
【課題を解決するための手段】
【０００９】
上記目的を達成するために、請求項１に記載の遮熱シートの取付構造は、コンテナハウスの屋根上に固定具を配し、該固定具に固定したシャフトに遮熱シートを固定、張設するようにした遮熱シートの取付構造であって、固定具は、シャフトを固定するシャフト固定部と、コンテナハウスの屋根に固定される土台部とを備えた構造とされ、シャフト固定部は、所定間隔離間して起立した２枚の起立片と、これらの起立片を連結し、ボルト孔を有した連結部と、土台部に取付固定するための取付片とを備えた本体部、および、シャフトを本体部に固定するためのＵ字ボルト、ナットを備えており、起立片のそれぞれには、底部を有した切欠き嵌入凹所が形成され、該切欠き嵌入凹所にシャフトが嵌め入れられ、Ｕ字ボルトのねじ部をボルト孔に通してナットと螺合してシャフトを固定する構成となっており、嵌入開口を有した半筒状のシャフト嵌合体をさらに用いる取付構造とされ、固定具の土台部がコンテナハウスの屋根に固着され、その上に水切りカバーが配設されるとともに、シャフト固定部に固定されたシャフトが、遮熱シートの側端部に形成したシャフト挿通筒部に挿通され、遮熱シートを挟み込むようにシャフトの胴部にシャフト嵌合体が嵌合する構造となっていることを特徴とする。
【００１０】
（削除）
【発明の効果】
【００１１】
請求項１に記載の遮熱シートの取付構造によれば、シャフトを固定するシャフト固定部と、コンテナハウスの屋根に固定される土台部とを備えた固定具を有した構造となっているため、遮熱シートをコンテナハウスの屋根に簡単、確実に取り付けられる。特に、固定具は土台部がコンテナハウスの屋根にビス止め等にて固着されるようになっているため、突出ボルトやハゼ部がなくても確実に取り付けられる。また、土台部の上には水切りカバーが配設されるようになっているため、コンテナハウス内への水の浸入を確実に防止できる。
【００１２】
さらに、遮熱シートの側端部にシャフト挿通筒部が形成され、そのシャフト挿通筒部にシャフトを挿通する構造となっているので、遮熱シートのシャフトへの取付作業を簡単にでき、現場での作業が効率的に行える。
【００１３】
また、シャフト挿通筒部に挿通させたシャフトの胴部にシャフト嵌合体を嵌合させる構造となっているので、設置された遮熱シートが風雨等により横にずれることを防止できる。
【図面の簡単な説明】
【００１４】
【図１】本発明の実施形態に係る遮熱シートの取付構造が採用されるコンテナハウスの要部正面図である。
【図２】同取付構造の分解斜視図である。
【図３】（ａ）、（ｂ）は、遮熱シートのシャフトへの取付手順を示す斜視図、（ｃ）はシャフト嵌合体の拡大正面図である。
【図４】遮熱シートの取付状態を示すコンテナハウスの概略平面図である。
【図５】シャフト固定部の他例を示す斜視図である。
【図６】本発明の他の実施形態（参考例）に係る遮熱シートの取付構造の要部正面図である。
【図７】図６に示した遮熱シートの取付構造に用いられる他の固定具の固定具本体の斜視図である。
【発明を実施するための形態】
【００１５】
以下に、本発明の実施の形態について、添付図面を参照しながら説明する。
【００１６】
図１は、本発明の実施形態に係る遮熱シートの取付構造が採用されるコンテナハウスの要部正面図である。図２は同取付構造の分解斜視図である。図３（ａ）、（ｂ）は、遮熱シートのシャフトへの取付手順を示す斜視図、図３（ｃ）はシャフト嵌合体の拡大正面図である。図４は、遮熱シートの取付状態を示すコンテナハウスの概略平面図である。
【００１７】
本実施形態における遮熱シート１０の取付対象は、図１、図４に示すように作業現場の現場事務所やトランクルーム等に使用されるコンテナハウス１の屋根である。
【００１８】
このコンテナハウス１の骨組は、柱と梁とを接合してなり、屋根の両端部には大梁が配設され、その間に小梁が架設され、その上に屋根材が葺かれた構造となっている。図１に示すように、大梁は屋根面よりもやや突出して端部突出部１ａを構成している。
【００１９】
本実施形態の遮熱シートの取付構造は、遮熱シート１０が、屋根上に架設、固定した円筒体よりなるシャフト３に固定、張設されるようになっており、そのシャフト３を固定するシャフト固定部３０と、土台部２０とを備えた固定具Ａを有した構造となっている。図１に示すように、この固定具Ａの土台部２０はコンテナハウス１の屋根面に固定されるようになっている。なおシャフト３は、図３（ａ）に示すように一端をすぼめた短筒体を繋ぎ合わせ一体化したものが扱いやすく、好適に使用できる。
【００２０】
本実施形態では、固定具Ａはシャフト固定部３０と、土台部２０とが別体に形成されている。
【００２１】
土台部２０（土台具）は、金属、合成樹脂等よりなる板体を折曲して形成されており、一方の端部には屋根の外郭形状に合致した倒Ｌ字形状の取付部２１が形成され、その取付部２１より折曲延出され、両側の載置部２３、２３に挟まれ、上げ底状に突出した、シャフト固定部３０を設置するための設置台部２２が形成されている。なお、取付部２１は屋根の端部外郭形状に合えばよく、倒Ｌ字形状には限定されない。
【００２２】
土台部２０は、取付部２１がコンテナハウス１の端部突出部１ａに嵌合取り付けされ、端部突出部１ａの上部に対してビス止めされて屋根に固着される。ビス止めされた取付部２１の上面にはビス止め部を覆うように水切りカバー２が載せ置かれ、その水切りカバー２の一端は取付部２１に隣接する載置部２３側に折り曲げられており、コンテナハウス１の外方に突出した他端はコンテナハウス１の側面に接するように折り曲げられて固定される。
【００２３】
このように、水切りカバー２が土台部２０の取付部２１のビス止め部位を覆っているので、コンテナハウス１の室内への水の浸入を防止できる。なお、土台部２０は接着剤によって屋根に固着してもよい。
【００２４】
また、土台部２０の設置台部２２の上には、遮熱シート１０を張り渡すためのシャフト３を、その両端部さらには中央部で固定するためのシャフト固定部３０（シャフト固定具）が固定される。
【００２５】
シャフト固定部３０は、金属、合成樹脂等よりなる板体を折曲加工して形成されており、所定間隔離間して起立した２枚の起立片３１、３１と、これらを側部で連結させた連結部３２と、土台部２０の設置台部２２にビスで取付固定するための取付片３３とよりなる本体部３０Ａ、および、シャフト３を本体部３０Ａに固定するためのＵ字ボルト３６、ナット３７により構成されている。
【００２６】
本体部３０Ａの起立片３１のそれぞれには、図１に示すように正面視で重なるように、連結部３２側を底部３１ａａとした傾斜形状の切欠き嵌入凹所３１ａが形成されている。また、連結部３２には、図２に示すように、その切欠き嵌入凹所３１ａの底部３１ａａの上端よりもやや高い位置と、下端よりもやや低い位置にボルト孔３２ａが形成されている。なお、このボルト孔３２ａは取り付けしやすくするために長孔とすることが望ましい。
【００２７】
遮熱シート１０を張り渡すためのシャフト３は、シャフト側端部３ａがシャフト固定部３０の本体部３０Ａの切欠き嵌入凹所３１ａの底部３１ａａに嵌め入れられ、連結部３２に形成された上下のボルト孔３２ａ、３２ａを介して、Ｕ字ボルト３６の両ねじ部と、２つのナット３７、３７とを螺合することによって固定されるようになっている。
【００２８】
このシャフト３は、金属、合成樹脂等よりなる長尺筒体を使用してもよいが、図３に示すように、取り扱いしやすいように、一端を接合可能なようにすぼめた短筒体３Ａを、コンテナハウス１の屋根寸法に合わせて繋いで使用してもよい。
【００２９】
なお、本実施形態では、シャフト固定部３０と、土台部２０とが別体に形成されているが、シャフト固定部３０（の本体部３０Ａ）と、土台部２０とが一体に形成された固定具を用いてもよい。
【００３０】
一方、遮熱シート１０は、柔軟性、伸縮性を有するとともに、太陽熱、太陽光線等を反射する合成樹脂シートで構成されており、例えば本実施形態に示すように、太陽熱、太陽光線等を反射する、銀色等に着色した樹脂糸材を縦横に編んで形成した織物シートを好適に使用できる。
【００３１】
この遮熱シート１０は、屋根上に固定したシャフト３に固定され、コンテナハウス１の両端に架設したシャフト３、３間で張設されるようになっている（図４参照）。本実施形態では、シャフト３の胴部に直交する方向に帯状に長い遮熱シート１０が用いられている。なお、本実施形態で用いる遮熱シート１０は、図２、図３に示すように、幅方向の両端と中央を除く部分（クロスハッチングで示した部位）は縦横の樹脂糸材で編み込まれて目が詰まっているが、両端および中央は樹脂糸材（横糸１０ａ）を縦糸１０ｂで固定しないようにしている（図４の１点鎖線で囲んだ拡大部分平面図参照）。この中央部位はボルトの軸部等を挿通させることができる挿通部１１を構成している。
【００３２】
また、この遮熱シート１０の長手方向の両方の側端部に、シャフト３を挿通できる程度のシャフト挿通筒部１２が形成してある。このシャフト挿通筒部１２は、シャフト３が挿通できる程度の挿通開口ができるように端部を折り返して端部を固着して形成してある。固着は接着剤あるいは縫製によってなされる。図１〜図４の符号１３はその固着部である。
【００３３】
ついで、遮熱シート１０のシャフト３への取付固定構造について具体的に説明する。
【００３４】
遮熱シート１０はその長手方向のシャフト挿通筒部１２にシャフト３が挿通され、シャフト挿通筒部１２の幅方向の中央部では、遮熱シート１０を挟み込むようにシャフト３の胴部の湾曲面にシャフト嵌合体４０を嵌合させて遮熱シート１０を固定できるようになっている。
【００３５】
シャフト嵌合体４０としては、図３（ｂ）、（ｃ）に示したような、嵌入開口４１ａを有した合成樹脂製の半筒体４１と、半筒体４１の外周形状と同形状に形成された固定金具４２とよりなるパッカーを使用できる。この半筒体４１は、嵌入開口４１ａをシャフト３の胴部に向けて押し込めば弾性変形して嵌入開口４１ａが広がるため容易に嵌合できる。その後、固定金具４２を半筒体４１の周囲に嵌着することで、シャフト３にしっかりと固定できる。半筒体４１の外周部には、いったん嵌着した固定金具４２が外れないように、端部には固定金具４２の外れ防止用の突起４１ｂが形成され、中央部には溝部４１ｃが形成されている。このパッカーは１枚の遮熱シート１０に対して複数個所で固定するようにしてもよい。なお、シャフト嵌合体４０としては、このパッカーには限られず、ボルト、ナットでより強固に固定できるリング体を用いてもよい。
【００３６】
このような遮熱シート１０のシャフト３への固定作業は、シャフト３を屋根上（シャフト固定部３０）へ固定する前に行えばよい。また、シャフト３を短筒体３Ａの繋ぎ合わせによって構成しているので、遮熱シート１０の固定作業を事前に行える。
【００３７】
なお、遮熱シート１０は、そのシャフト挿通筒部１２にシャフト３を通すことで張設されるので、張り具合が調整されて遮熱シート１０の横ずれのおそれがほとんどない場合にはシャフト嵌合体４０を用いなくてもよい。
【００３８】
遮熱シート１０は、以上のようにして、例えば図４のようにコンテナハウス１の屋根上に固定、張設される。なお、図４の例では遮熱シート１０間に隙間が空いているが、遮熱効果を上げるためには隙間を小さくするほうが望ましく、さらにシャフト固定部３０に至るまで遮熱シート１０を配してもよい。
【００３９】
以上のように、屋根上に架設したシャフト３に遮熱シート１０を固定、張設するために、シャフト３を固定するシャフト固定部３０と、コンテナハウス１の屋根に固定される土台部２０とを有した固定具Ａを備えているので、遮熱シート１０をコンテナハウス１の屋根に簡単、確実に取り付けられる。特に、固定具Ａは土台部２０がコンテナハウス１の屋根にビス止めされるようになっているため、突出ボルトやハゼ部がなくても確実に取り付けられる。また、土台部２０の上には水切りカバー２が配設される構成となっているため、ビス止め部を介してコンテナハウス１の室内へ水が浸入することを防止できる。
【００４０】
さらに、遮熱シート１０の側端部にシャフト挿通筒部１２が形成され、そのシャフト挿通筒部１２にシャフト３を挿通する構造となっているので、遮熱シート１０の取付作業を簡単にでき、現場での作業が効率的に行える。
【００４１】
また、シャフト挿通筒部１２に挿通されたシャフト３の胴部にシャフト嵌合体４０を嵌合させる構造となっているので、風雨等により設置された遮熱シート１０が横にずれることを防止できる。
【００４２】
図５は、図１〜図４に示した遮熱シートの取付構造に使用されるシャフト固定部３０の本体部３０Ａに代えて使用できるシャフト固定部の本体部の他例を示す斜視図である。なお、この図例における遮熱シートのシャフトへの取付構造は図１〜図４に示したものと同様である。
【００４３】
このシャフト固定部の本体部３０Ｂは、所定間隔を隔てて起立された２つの起立片３１、ボルト孔を有した連結部３２およびビス止めされる取付片３３、３３よりなる点、ならびにＵ字ボルト３６（図２参照）でシャフト３（図２参照）が固定される点は上記の例と同様であるが、本図例ではシャフト３を嵌め入れる切欠き嵌入凹所３１ａが起立片３１の上端より下方に向けてほぼ垂直に形成されている点で上記例と相違している。
【００４４】
図５に示した本体部３０Ｂを用いれば、シャフト３を嵌入するための開口が上部に形成されているのでシャフト３の取付作業がしやすく、さらに切欠き嵌入凹所３１ａの底部３１ａａからシャフト３が上方へ抜け出ることを阻止できる抜け止め防止突起を切欠き嵌入凹所３１ａの内側面に設ければ、Ｕ字ボルト３６でシャフト３を固定しなくてもよく、取付作業を迅速に行える。
【００４５】
図６は、本発明の他の実施形態（参考例）に係る遮熱シートの取付構造の要部正面図である。図７は、この遮熱シートの取付構造に用いられる他の固定具の固定具本体の斜視図である。
【００４６】
本実施形態では、土台部２０と、シャフト固定部３０の起立片３１とが帯板により一体成形された固定具本体Ｂを用いている。すなわち、土台部２０は倒Ｌ字形状の取付部２１と、載置部２３とよりなり、一方、シャフト固定部３０は、載置部２３の端部より立ち上がり形成された、Ｕ字ボルト用のボルト長孔３１ｂを有した起立片３１、およびＵ字ボルト３６、ナット３７よりなる。この帯板状の固定具本体Ｂのコンテナハウス１への固定は、土台部２０の取付部２１を端部突出部１ａに対してビス止めすることでなされる。ビス止め部の上には水切りカバー２が被せられている。
【００４７】
なお、遮熱シート１０のシャフト挿通筒部１２にシャフト３を通して、遮熱シート１０をシャフト３に固定する構造は図１〜図４に示した実施形態と同様である。シャフト嵌合体４０（図３参照）についても同様の形状、構造のものが使用できるが、本図では図示を省略している。
【００４８】
この実施形態に示した固定具本体Ｂによれば、簡易な形状の固定具本体Ｂを備えているため、遮熱シート１０をコンテナハウス１の屋根にきわめて簡単に取り付けることができる。さらに、シャフト固定部３０を少ない部材で構成でき、また固定具本体Ｂは帯板状であり、幅寸法を小さくできるので（図６参照）、材料費を軽減でき、遮熱シート１０の設置作業の低コスト化が図れる。
【符号の説明】
【００４９】
１      コンテナハウス
２      水切りカバー
３      シャフト
１０      遮熱シート
１１      挿通部
１２      シャフト挿通筒部
１３      固着部
Ａ      固定具
Ｂ      固定具本体
２０      土台部
２１      取付部
２２      設置台部
２３      載置部
３０      シャフト固定部
３０Ａ、３０Ｂ      本体部
３１      起立片
３１ａ      切欠き嵌入凹所
３１ｂ      ボルト長孔
３２      連結部
３２ａ      ボルト孔
３３      取付片
３６      Ｕ字ボルト
３７      ナット
４０      シャフト嵌合体
４１      半筒体
４１ａ      嵌入開口
４２      固定金具
【図１】
0005698957.tif 000002
【図２】
0005698957.tif 000003
【図３】
0005698957.tif 000004
【図４】
0005698957.tif 000005
【図５】
0005698957.tif 000006
【図６】
0005698957.tif 000007
【図７】
0005698957.tif 000008